(57)【特許請求の範囲】
【請求項１】
船舶推進用の水噴射式推進ユニットのポンプハウス（２）内のインペラー（４）またはドライブシャフト端（３）をジャーナル支持するための取り外し自在なハブアセンブリ（６）であって、スリーブ（９）を回転可能に支持するベアリング（１０，１１）を収容するベアリングハウジング（８）を含むハブアセンブリにおいて、ベアリングハウジング（８）、ベアリング（１０，１１）およびスリーブ（９）が一緒になって、ポンプハウジング、インペラーあるいはドライブシャフトを船舶から取り外す必要なしに、単一ユニットとしてポンプハウジングから船尾へ取り外し自在な、独立し一体化されたアセンブリ（６）を形成することを特徴とするハブアセンブリ。
【請求項２】
スリーブ（９）を通る連続空洞がシャフト端（３）の形状に適合し、該シャフト端上に該スリーブを軸方向にかつ該シャフト端に対して回転しないようにシャフト端に取り付けられることを特徴とする請求項１に記載のハブアセンブリ。
【請求項３】
該連続空洞が、シャフト端のテーパー（３’）に対応するテーパーを持つテーパー付きセクション（９’）を有し、これによって、ロックナット（１８）をシャフト端上に締めつける際に、スリーブがテーパー付き表面間の摩擦係合でシャフト端に取り付けられることを特徴とする請求項１または２に記載のハブアセンブリ。
【請求項４】
ベアリングハウジング（８）が、ベアリングハウジングを水噴射式ポンプの固定子（７）の船尾側にボルト付けするための放射方向に伸張した取付手段（１９）を有し、実質的にまっすぐなまたは船首に向けてテーパーが付けられた、円筒形の外部形状を有することを特徴とする請求項１に記載のハブアセンブリ。
【発明の詳細な説明】
本発明は船舶の推進のために適用された水噴射式推進ユニットのポンプハウジング内のインペラーの軸支のためのハブアセンブリに関し、より特定的には、交換やメンテナンス作業の際の簡略化された組み立ておよび取り外しを可能にした設計のハブアセンブリを提供することである。
ここに言及されるタイプの水噴射式推進ユニットは、入口ポートを通って挿入されるドライブシャフト上に搭載されたポンプホイールまたはインペラーを含む。ドライブシャフト端またはインペラーは平軸受けまたはローラーベアリングによってポンプハウジング内にジャーナル支持されているが、開示された実施態様に見られるように、協働するローラーベアリングのアセンブリによってジャーナル支持されるのが望ましい。
本発明によるハブアセンブリは特定の種類の水噴射式推進ユニットでの使用に限られるものではなく、ドライブシャフトとインペラー間のスプラインカップリングまたは固定接続部を有するユニットにおけるようなドライブシャフトとインペラー間に可撓性はあるがねじり的には硬い接続部を含むユニットでも利用され得る。
大型の商用フェリーボートや他の船舶の水噴射式推進ユニットの場合、メンテナンスの早さと簡略さが必須の経済的要素である。現在使用されている周知の設計では、ポンプがトランソム船尾からまず取り除かれない限り、ベアリングを取り外したりシーリングを交換したりすることはできない。推進ユニットの重量は大きさと動力が増すに連れて増大するため、この手順は時間がかかる上に複雑である。
ポンプやポンプインペラーを取り外さなくてもハブアセンブリやシールを交換できるようにすれば、埠頭でのメンテナンス作業をかなり簡略化できる。本発明によるハブアセンブリはまた、船舶の船首をトリミングしてアセンブリを水面より上に揚げることが可能であれば、船舶を揚げたりドックに入れる必要なくベアリングやシーリングをメンテナンスすることができる。水潤滑された平軸受けがハブアセンブリ内で用いられる場合には、ダイバーによって水面下でも交換可能である。
したがって、本発明の目的は、メンテナンス中の簡略化された組み立てと取り外しを可能とし、これによって上述の問題を解決するような、水噴射式推進ユニット内のインペラーやドライブシャフト端を軸支するように設計されたハブアセンブリを提供することである。
この目的は、本発明の特定の特徴が記載されている添付クレームによるハブアセンブリによって満たされる。
本発明は、水噴射式推進ユニットのポンプハウジング内に搭載されたハブアセンブリを長手方向断面図で示す添付図面を参照して以下に詳述される。
図において水噴射式推進ユニットの詳細が示され、参照符号１は、ポンプハウジング２内で回転できるようにジャーナル支持されたドライブシャフトを示す。開示された実施態様では、ドライブシャフト端はフランジを有するシャフトスピンドル３を含み、インペラー４はシャフトスピンドルのフランジにボルト付けされている。シャフトスピンドルはカップリング５によって回転するようにドライブシャフトの伸張された端に固定されている。ドライブシャフト端またはシャフトスピンドル３は、参照符号６で一般的に示される本発明によるハブアセンブリ内でジャーナル支持されており、ハブアセンブリ６はポンプハウジング固定子７に非回転可能に搭載されている。
本開示において「シャフトスピンドル」という表現はドライブシャフト端と等価であるとも理解されるべきであり、これは、本発明は図示された実施態様だけに限られるものではなく、ドライブシャフトとシャフトスピンドル間の図示された接続部を持たない、ドライブシャフト端に非回転可能に取り付けられた水噴射式推進ユニットにも応用可能であるからである。示されていない他の実施態様では、シャフトスピンドル３はインペラーに一体化されてもよく、一方「シャフトスピンドル」という表現も、それに対応して設計されジャーナル支持されたインペラーの部分を含むと理解されるべきである。
ハブアセンブリ６は、ベアリングハウジング８、内部スリーブ９ならびにその間に配置されたローラーベアリング１０および１１からなる。ハブアセンブリ６は、シャフトスピンドル３の所で締め付けリッド１２およびリッド下に設けられたシール１３によって、また船尾端でキャップ１４によって水が進入しないように密閉されている。ハブアセンブリは、ベアリングプレート１６の外側で、スリーブ９とねじ係合された締め付けナット１５によって一体に結合されており、これによってスリーブ９がベアリングハウジング８内に軸方向に固定され、同時に前記ベアリングプレートとスリーブの前方端に配置された放射状に伸張するフランジ１７との間でベアリング１０および１１が締めつけられる。このようにしてベアリングハウジング、ベアリングおよびスリーブが独立し一体化したユニットを形成する。ハブアセンブリは、その上にねじ付けされたロックナット１８によって、シャフトスピンドル３に取り付けられている。
ベアリングハウジング８は、実質的にまっすぐなまたは船首に向けてテーパーが付けられた好ましくは円筒形の外部形状を有し、またハブアセンブリ６を固定子７の船尾端にボルト締めするための貫通孔を持ついくつかの取付ブラケットまたはフランジ１９のような放射状に伸張した留め手段を有する。締め付けリッド１２は、ベアリングハウジング８の周囲に対応、好ましくはその内部に伸張する放射方向の幅を有し、それによって、組み立ての際にベアリングハウジングを船尾端から固定子７内に自由に挿入でき、取り外しの際には自由に除去できるようにしている。
もし望ましければ、テーパーを付けられたセクション３’を有するシャフトスピンドル３をハブアセンブリ６内でジャーナル支持させてもよく、このテーパーを付けられたセクションは、スリーブ９内部の連続した空洞のテーパーを付けられた内部セクション９’のテーパーに対応するテーパーを有する。それによって、スリーブを船尾端からシャフトスピンドル上に容易に滑動挿入し、またそこから滑動させて離すことができ、ポンプ、ポンプハウジング、インペラーおよびシャフト／シャフトカップリングが推進ユニット中に残った状態でハブアセンブリ全体を取り外したり再組み立てすることが可能となる。
ロックナット１８を締めつけると、テーパーの付けられたシャフトスピンドルとスリーブの接触表面間でそれぞれ所望の摩擦係合が達成され、スリーブがドライブシャフト／シャフトスピンドルの回転と共に回転するようになる。取り外しの際には、前記摩擦係合は引きツールによって機械的にまたはオイルインジェクション手順によって解放され、このオイルインジェクション手順においては、加圧されたオイルが、例えばシャフトスピンドルの外部端のチャネル（図示せず）開口部を通って、テーパーの付けられた接触表面間に分配されるように供給される。ロックナット１８はまた、インペラーによってシャフトスピンドルに印加される軸方向スラストによって接触表面が分離することを防いでいる。
開示された実施態様では、軸方向負荷を担うための球状の軸方向／放射方向ベアリングを有するローラーベアリングアセンブリが示されている。しかしながら、本発明の利点は図示のベアリングアセンブリに依存するものではなく、本書には明確に図示されていないとはいえ、ローラーベアリングまたは平軸受け、油潤滑式または水潤滑式の他の組み合わせによっても達成されることが当業者には明らかであろう。さらに、図示のテーパーの付けられたカップリングとは異なる取付をもってスリーブとシャフト端／シャフトスピンドル間でのねじり的に硬い接続部を得るようにしてもよい。
0003950172.tif 000002